(57)【要約】【課題】重量部品のハンダ部にストレスが掛かり難くすることにより、ストレスによるハンダ部のクラックの発生を防止し、制御装置の動作不良の発生を防止する。【解決手段】プリント配線板６を収納する保護ケース８と、重量部品７を保持する保護カバー９とで重量部品７を支持するように構成した。【選択図】図１
2006061449.tif 000002
【特許請求の範囲】
【請求項１】
少なくとも１個の重量部品を実装したプリント配線板と、前記プリント配線板を収納する保護ケースと、前記重量部品を保持する保護カバーとを備え、前期保護ケースと前記カバーとで前記重量部品を支持するように構成した食器洗い乾燥機などの制御装置。
【請求項２】
保護ケース内にポッティング材を充填してプリント配線板を防湿処理した請求項１記載の食器洗い乾燥機などの制御装置。
【発明の詳細な説明】
【技術分野】
【０００１】
本発明は、食器洗い乾燥機など水を使用する電気機器の制御装置に関するものである。
【背景技術】
【０００２】
従来、この種の電気機器の制御装置は図２に示すような構成が提案されている。図２に示すように、制御装置１は、食器洗い乾燥機などの運転を制御するもので、プリント配線板２に各種電子部品を実装し、保護ケース３内に収納しており、防湿材４により防湿処理して保護ケース一体型制御装置５を構成している（例えば、特許文献１参照）。
【特許文献１】特開２００４−８１６４９号公報
【発明の開示】
【発明が解決しようとする課題】
【０００３】
しかしながら、このような従来の構成では、プリント配線板に実装される様々な部品のうち、重量部品の場合、その重量によりハンダ部にストレスがかかり、ハンダ部のクラックの発生、動作不良が発生するという問題を有していた。
【０００４】
本発明は上記課題を解決するもので、重量部品であっても、ハンダ部にストレスが掛かり難くすることにより、ストレスによるハンダ部のクラックの発生を防止し、制御装置の動作不良の発生を防止することを目的としている。
【課題を解決するための手段】
【０００５】
本発明は上記目的を達成するために、プリント配線板を収納する保護ケースと、重量部品を保持する保護カバーとで重量部品を支持するように構成したものである。
【０００６】
これにより、重量部品であっても、ハンダ部にストレスがかかり難くするとともに、ストレスによるハンダ部のクラックの発生、制御装置の動作不良の発生を防止することができる。
【発明の効果】
【０００７】
以上のように、本発明によれば、プリント配線板を収納する保護ケースと、重量部品を保持する保護カバーとで重量部品を支持するように構成したことで、重量部品であっても、ハンダ部にストレスがかかり難くすることができるので、ストレスによるハンダ部のクラックの発生を防止し、制御装置の動作不良の発生を防止することができる。
【発明を実施するための最良の形態】
【０００８】
本発明の請求項１に記載の発明は、少なくとも１個の重量部品を実装したプリント配線板と、前記プリント配線板を収納する保護ケースと、前記重量部品を保持する保護カバーとを備え、前期保護ケースと前記カバーとで前記重量部品を支持するように構成したものであり、重量部品であっても、ハンダ部にストレスがかかり難くするとともに、ストレスによるハンダ部のクラックの発生、制御装置の動作不良の発生を防止することができる。
【０００９】
請求項２に記載の発明は、上記請求項１に記載の発明において、保護ケース内にポッティング材を充填してプリント配線板を防湿処理したものであり、プリント配線板と電子部品とを結露から保護することができる。
【００１０】
以下、本発明の実施の形態について、図面を参照しながら説明する。なお、この実施の形態によって本発明が限定されるものではない。
【００１１】
（実施の形態１）
図１は本発明の実施の形態１における食器洗い乾燥機などの制御装置の要部断面図である。図１において、プリント配線板６に実装される重量部品７（例えばトランス）を、プリント配線板６を内装する保護ケース８と、保護ケース８と勘合する保護カバー９とで挟み込んで支持するようにし、保護ケース８内にポッティング材１０を充填しプリント配線板６を防湿処理を施し、保護ケース一体型の制御装置１１を構成している。
【００１２】
保護ケース８と保護カバー９は、ＡＢＳ樹脂などの難燃性樹脂により形成されている。
【００１３】
プリント配線板６は、配線パターンを形成し、重量部品７とその他の電子部品を実装している。
【００１４】
保護ケース８は、プリント配線板６を底部近傍に収納して配置できる形状および大きさの箱状に形成されており、底部の内側の、プリント配線板６が収納されたときに重量部品７が位置する位置に対応する位置から、重量部品７を支持するためのリブ８ａを複数立設させてある。そして、このリブ８ａは、上方から所定以上の力が作用すると変形するように先端を細く形成してある。
【００１５】
保護カバー９は、重量部品７の端子を除く部分を覆うような箱状に形成されており、開口部には重量部品７を係止して支持するためのツメ９ａを複数設け、底部近傍のツメ９ａと相対する位置にはツメ９ａとで挟み込んで重量部品７の端子を除く任意の部分を保持するリブ９ｂを設けてある。この際、ツメ９ａの両側近傍にスリットを設ける等の手段により、ツメ９ａが外方向に若干広がるよう弾性持たせておく。また、この保護カバー９の外周部には、保護カバー９を保護ケース８に支持するためのフランジ９ｃを設けてあり、このフランジ９ｃには、保護カバー９を保護ケースにねじ１２で固定するための穴を複数設けてある。
【００１６】
以上のように構成した食器洗い乾燥機などの制御装置について、その動作、作用を説明する。重量部品７とその他の電子部品をプリント配線板６に実装した後、重量部品７の上方から保護カバー９を覆い被せ、重量部品７の端子を除く任意の部分をツメ９ａとリブ９ｂとで弾性的に挟み込んで重量部品７を保持する。
【００１７】
次に、このようにして組み上げたプリント配線板６を保護ケース８に収納する。この際、重量部品７の底部が保護ケース８の底部から立設させたリブ８ａに当接する。この状態では、保護カバー９の外周部に設けたフランジ９ｃと保護ケース８の上端面８ｂとの間に、若干の隙間が生じるように、保護ケース８および保護カバー９の各部の高さ方向の寸法を設定しておく。
【００１８】
この状態から、保護カバー９の穴にねじ１２を挿入して保護カバー９を下方に締め込んでゆくと、保護ケース８のリブ８ａの先端は細くしてあるので、重量部品７に押されて変形してつぶれていく。そして、保護ケース８のリブ８ａの先端がつぶれることで、保護ケース８とトランス７と保護カバー９とは大きな隙間なく保持され、プリント配線板６も固定される。
【００１９】
そして、最後に、保護ケース８内にポッティング材１０を充填してプリント配線板６の防湿処理を施し、保護ケース一体型の制御装置１１の完成としている。
【００２０】
上記構成とすることによって、トランス７の重量は保護ケース８と保護カバー９とによって支持されるので、トランス７のハンダ部には重量が掛からなくなり、ハンダ部にストレスが掛かり難くすることができ、ストレスによるハンダ部のクラックの発生を防止でき、制御装置の動作不良の発生を防止することができる。
【００２１】
また、保護ケース８内にポッティング材１０を充填しプリント配線板６を防湿処理することで、プリント配線板と電子部品とを結露から保護することができる。
【００２２】
また、保護ケース８のリブ８ａの先端を変形させてつぶすことで、保護ケース８とトランス７と保護カバー９とは大きな隙間なく保持され、プリント配線板６を固定できることから、保護ケース一体型の制御装置１１を食器洗い乾燥機などに取り付けるとき、上向きだけでなく、下向き、横向きにも取り付けることができる。
【産業上の利用可能性】
【００２３】
以上のように、本発明にかかる食器洗い乾燥機などの制御装置は、重量部品のハンダ部のクラックの発生を防止し、制御装置の動作不良の発生を防止することができるので、重量部品を実装した食器洗い乾燥機などの制御装置等として有用である。
【図面の簡単な説明】
【００２４】
【図１】本発明の実施の形態１の食器洗い乾燥機などの制御装置の要部断面図
【図２】従来の食器洗い乾燥機などの制御装置の要部断面図
【符号の説明】
【００２５】
６  プリント配線板
７  重量部品
８  保護ケース
８ａ  リブ
９  保護カバー
９ａ  ツメ
９ｂ  リブ
９ｃ  フランジ
１０  ポッティング材
１１  制御装置
１２  ねじ
【図１】
2006061449.tif 000003
【図２】
2006061449.tif 000004